(57)【要約】【課題】センター装置１や端末装置２０に，同期情報の監視回路や遅延時間情報を転送する新たな回線を必要とせずに最小限の回路構成で済み，かつローコストを実現する。【解決手段】センター装置１には複数のケーブルモデム終端装置１３０と，データをフレームごとに複数に振り分けて各チャネルに出力するデータ分割装置１２０を備える。端末装置２０には複数のケーブルモデム２１０と，複数のチャネルを介して入力されたフレームデータを結合して出力するデータ結合装置２００とを備える。ケーブルモデム終端装置１３０でタイムスタンプデータを生成して送出し，ケーブルモデム２１０ではタイムスタンプデータに基づきデータ遅延時間を算出し，データ分割装置１２０に送出する。データ分割装置１２０はＣＡＴＶ伝送路のデータ遅延時間データに基づき端末装置２０でセンター装置１が送信した順番に受信されるように遅延制御して各データパスに送出する。【選択図】  図１
2005086274.tif 000002
【特許請求の範囲】
【請求項１】
双方向ＣＡＴＶ伝送路を介して，複数チャネル間に跨るデータをセンター装置と端末装置間に伝送せしめる際の伝送方式であって，
センター装置には複数のケーブルモデム終端装置（ＣＭＴＳ）と，
データをフレームごとに複数に振り分けて各チャネルに出力するためのデータ分割装置とを備え，
端末装置には前記ケーブルモデム終端装置とそれぞれペアを成す複数のケーブルモデムと，
複数のチャネルを介して入力されたフレームデータを結合して出力するデータ結合装置とを備えると共に，
前記ケーブルモデム終端装置には時刻計時手段と，
前記時刻計時手段によりタイムスタンプデータを生成して前記ケーブルモデムに送出するタイムスタンプデータ送出手段と，
前記ケーブルモデムが出力した遅延時間データを受信する遅延時間データ受信手段と，
前記遅延時間データを前記データ分割装置に送出する遅延時間データ送出手段とを有し，
前記ケーブルモデムには時刻計時手段と，
前記タイムスタンプデータを受信するタイムスタンプデータ受信手段と，
前記時刻計時手段とタイムスタンプデータ受信手段に基づき当該ＣＡＴＶ伝送路のデータ遅延時間を算出する遅延時間データ算出手段と，
前記遅延時間データを前記ケーブルモデム終端装置に送出する遅延時間データ送出手段とを有すると共に，
前記データ分割装置は前記当該ＣＡＴＶ伝送路のデータ遅延時間データに基づき端末装置で前記センター装置が送信した順番に受信されるように遅延制御された上，ＣＡＴＶ伝送路を介して複数チャネル間に跨るデータとして端末装置に伝送されることを特徴としたデータ伝送方式。
【請求項２】
双方向ＣＡＴＶ伝送路を介して，複数チャネル間に跨るデータをセンター装置と端末装置間に伝送せしめる際の伝送方式であって，
端末装置には複数のケーブルモデムと，
データをフレームごとに複数に振り分けて各チャネルに出力するためのデータ分割装置とを備え，
センター装置には前記ケーブルモデムとそれぞれペアを成す複数のケーブルモデム終端装置（ＣＭＴＳ）と，
複数のチャネルを介して入力されたフレームデータを結合して出力するデータ結合装置とを備えると共に，
前記ケーブルモデムには時刻計時手段と，
前記時刻計時手段によりタイムスタンプデータを生成して前記ケーブルモデム終端装置に送出するタイムスタンプデータ送出手段と，
前記ケーブルモデム終端装置が出力した遅延時間データを受信する遅延時間データ受信手段と，
前記遅延時間データを前記データ分割装置に送出する遅延時間データ送出手段とを有し，
前記ケーブルモデム終端装置には時刻計時手段と，
前記タイムスタンプデータを受信するタイムスタンプデータ受信手段と，
前記時刻計時手段とタイムスタンプデータ受信手段に基づき当該ＣＡＴＶ伝送路のデータ遅延時間を算出する遅延時間データ算出手段と，
前記遅延時間データを前記ケーブルモデムに出力する遅延時間データ送出手段とを有すると共に，
前記データ分割装置は前記当該ＣＡＴＶ伝送路のデータ遅延時間データに基づきセンター装置で前記端末装置が送信した順番に受信されるように遅延制御された上，ＣＡＴＶ伝送路を介して複数チャネル間に跨るデータとしてセンター装置に伝送されることを特徴としたデータ伝送方式。
【請求項３】
前記データパスをｎ，データパスｎに対応するＣＡＴＶ伝送路のデータ遅延時間τｎ，データパスｎに対応するデータ遅延時間のバラツキΔｎとした場合，前記データ分割装置が出力するフレームデータを送出するタイミングｔｎが，
2005086274.tif 000006
に設定されていることを特徴とした請求項１または請求項２に記載のデータ伝送方式。
【請求項４】
前記ケーブルモデム終端装置と前記ケーブルモデム装置に時刻データ取得手段を備え，前記時刻データ取得手段の時刻データに基づき，前記時刻計時手段の時刻データを自動的に修正する時刻合わせ手段を備えたことを特徴とした請求項１乃至請求項３のいずれかに記載のデータ伝送方式。
【発明の詳細な説明】
【技術分野】
【０００１】
本発明は，双方向ＣＡＴＶ伝送路におけるデータ伝送方式に係り，特に，複数チャネル間に跨るデータをセンター装置と端末装置間に伝送せしめる際のデータ伝送方式に関する。
【背景技術】
【０００２】
従来，ＩＳＤＮ等のディジタル回線交換網を介してデータ伝送を行なう場合，データ通信速度を向上する技術としてバルク伝送が知られている。バルク伝送は複数のチャネルを１つの回線として束ねられた上，この回線を介してデータ伝送が行われるようになっている。また複数チャネル間に跨るデータの伝送上での同期を確保すべくそれらデータ相互間での相対的遅延時間を解消する必要がある。そこで，データに対する位相合わせの前処理を送信側すなわちセンター側で行うことにより，経済的に行い得るデータ伝送を実現している。（たとえば，特許文献１参照）
【０００３】
【特許文献１】特開平６−１５２６３６号公報
【発明の開示】
【発明が解決しようとする課題】
【０００４】
ところが，上記特許文献の技術は，ＩＳＤＮ等のディジタル回線交換網を介して，複数チャネル間に跨るデータをセンター装置と端末装置間に伝送せしめる際，受信端末装置に，同期情報監視回路を設けると共に，当該同期情報監視回路が，センター装置からデータパスを介して伝送された複数チャネル間に跨るデータの当該データ相互間の相対的回線遅延時間を検出する。そして，遅延時間情報を別のディジタル回線を介してセンター装置に転送する。センター装置では，その相対的回路遅延時間情報に基づき，遅延メモリ制御回路を制御することで複数間に跨るデータを位相同期状態で受信し得るようにしたものである。
このため，端末装置に別途同期情報監視回路を設けなければならず端末装置が複雑化する。また，遅延時間情報を転送するための別のディジタル回線を準備しなければならず，回線確保のためにコストが必要になる。
そこで，こうした問題に鑑み，本発明はなされたものであり，本発明の第１の目的は，端末装置に，別途，同期情報の監視回路を必要とせずに最小限の回路構成で済み，かつローコストを実現できるデータ伝送方式を提供することにある。
また，第２の目的は，遅延時間情報の転送は既に使用している回線の空き時間を利用することにより，別途回線を準備する必要がないデータ伝送方式を提供することにある。
また，第３の目的は，遅延時間は当該チャネルのみの遅延時間を算出すれば良いのでケーブルモデム終端装置やケーブルモデムのＣＰＵ負荷が軽減され，如いては通信速度低下を軽減できるデータ伝送方式を提供することにある。
また，第４の目的は，遅延時間の精度が向上し，マージンを小さく設定でき，如いては回線の稼働率が向上して通信速度の向上に寄与するデータ伝送方式を提供することにある。
【課題を解決するための手段】
【０００５】
上記課題を解決するために，請求項１の発明は，双方向ＣＡＴＶ伝送路を介して，複数チャネル間に跨るデータをセンター装置と端末装置間に伝送せしめる際の伝送方式であって，センター装置には複数のケーブルモデム終端装置（ＣＭＴＳ）と，データをフレームごとに複数に振り分けて各チャネルに出力するためのデータ分割装置とを備え，端末装置には前記ケーブルモデム終端装置とそれぞれペアを成す複数のケーブルモデムと，複数のチャネルを介して入力されたフレームデータを結合して出力するデータ結合装置とを備えると共に，前記ケーブルモデム終端装置には時刻計時手段と，前記時刻計時手段によりタイムスタンプデータを生成して前記ケーブルモデムに送出するタイムスタンプデータ送出手段と，前記ケーブルモデムが出力した遅延時間データを受信する遅延時間データ受信手段と，前記遅延時間データを前記データ分割装置に送出する遅延時間データ送出手段とを有し，前記ケーブルモデムには時刻計時手段と，前記タイムスタンプデータを受信するタイムスタンプデータ受信手段と，前記時刻計時手段とタイムスタンプデータ受信手段に基づき当該ＣＡＴＶ伝送路のデータ遅延時間を算出する遅延時間データ算出手段と，前記遅延時間データを前記ケーブルモデム終端装置に送出する遅延時間データ送出手段とを有すると共に，前記データ分割装置は前記当該ＣＡＴＶ伝送路のデータ遅延時間データに基づき端末装置で前記センター装置が送信した順番に受信されるように遅延制御された上，ＣＡＴＶ伝送路を介して複数チャネル間に跨るデータとして端末装置に伝送されるように構成される。
【０００６】
請求項２の発明は，双方向ＣＡＴＶ伝送路を介して，複数チャネル間に跨るデータをセンター装置と端末装置間に伝送せしめる際の伝送方式であって，端末装置には複数のケーブルモデムと，データをフレームごとに複数に振り分けて各チャネルに出力するためのデータ分割装置とを備え，センター装置には前記ケーブルモデムとそれぞれペアを成す複数のケーブルモデム終端装置（ＣＭＴＳ）と，複数のチャネルを介して入力されたフレームデータを結合して出力するデータ結合装置とを備えると共に，前記ケーブルモデムには時刻計時手段と，前記時刻計時手段によりタイムスタンプデータを生成して前記ケーブルモデム終端装置に送出するタイムスタンプデータ送出手段と，前記ケーブルモデム終端装置が出力した遅延時間データを受信する遅延時間データ受信手段と，前記遅延時間データを前記データ分割装置に送出する遅延時間データ送出手段とを有し，前記ケーブルモデム終端装置には時刻計時手段と，前記タイムスタンプデータを受信するタイムスタンプデータ受信手段と，前記時刻計時手段とタイムスタンプデータ受信手段に基づき当該ＣＡＴＶ伝送路のデータ遅延時間を算出する遅延時間データ算出手段と，前記遅延時間データを前記ケーブルモデムに出力する遅延時間データ送出手段とを有すると共に，前記データ分割装置は前記当該ＣＡＴＶ伝送路のデータ遅延時間データに基づきセンター装置で前記端末装置が送信した順番に受信されるように遅延制御された上，ＣＡＴＶ伝送路を介して複数チャネル間に跨るデータとしてセンター装置に伝送されるように構成される。
【０００７】
請求項３の発明は，前記データパスをｎ，データパスｎに対応するＣＡＴＶ伝送路のデータ遅延時間τｎ，データパスｎに対応するデータ遅延時間のバラツキΔｎとした場合，前記データ分割装置が出力するフレームデータを送出するタイミングｔｎが，
2005086274.tif 000003
に設定されるように構成される。
【０００８】
請求項４の発明は，前記ケーブルモデム終端装置と前記ケーブルモデム装置に時刻データ取得手段を備え，前記時刻データ取得手段の時刻データに基づき，前記時刻計時手段の時刻データを自動的に修正する時刻合わせ手段を備えるように構成される。
【発明の効果】
【０００９】
以上詳述したように，請求項１の発明によれば，双方向ＣＡＴＶ伝送路を介して，複数チャネル間に跨るデータをセンター装置と端末装置間に伝送せしめる際の伝送方式であって，センター装置には複数のケーブルモデム終端装置（ＣＭＴＳ）と，データをフレームごとに複数に振り分けて各チャネルに出力するためのデータ分割装置とを備え，端末装置には前記ケーブルモデム終端装置とそれぞれペアを成す複数のケーブルモデムと，複数のチャネルを介して入力されたフレームデータを結合して出力するデータ結合装置とを備えると共に，前記ケーブルモデム終端装置には時刻計時手段と，前記時刻計時手段によりタイムスタンプデータを生成して前記ケーブルモデムに送出するタイムスタンプデータ送出手段と，前記ケーブルモデムが出力した遅延時間データを受信する遅延時間データ受信手段と，前記遅延時間データを前記データ分割装置に送出する遅延時間データ送出手段とを有し，前記ケーブルモデムには時刻計時手段と，前記タイムスタンプデータを受信するタイムスタンプデータ受信手段と，前記時刻計時手段とタイムスタンプデータ受信手段に基づき当該ＣＡＴＶ伝送路のデータ遅延時間を算出する遅延時間データ算出手段と，前記遅延時間データを前記ケーブルモデム終端装置に送出する遅延時間データ送出手段とを有すると共に，前記データ分割装置は前記当該ＣＡＴＶ伝送路のデータ遅延時間データに基づき端末装置で前記センター装置が送信した順番に受信されるように遅延制御された上，ＣＡＴＶ伝送路を介して複数チャネル間に跨るデータとして端末装置に伝送されるようにしたので，
端末装置には別途同期情報の監視回路を必要としないため，最小限の回路構成で済み，かつローコストが実現できる。また，遅延時間情報の転送は既に使用している回線の空き時間を利用することにより，別途回線を準備する必要のないデータ伝送方式を提供することができる。
【００１０】
請求項２の発明によれば，双方向ＣＡＴＶ伝送路を介して，複数チャネル間に跨るデータをセンター装置と端末装置間に伝送せしめる際の伝送方式であって，端末装置には複数のケーブルモデムと，データをフレームごとに複数に振り分けて各チャネルに出力するためのデータ分割装置とを備え，センター装置には前記ケーブルモデムとそれぞれペアを成す複数のケーブルモデム終端装置（ＣＭＴＳ）と，複数のチャネルを介して入力されたフレームデータを結合して出力するデータ結合装置とを備えると共に，前記ケーブルモデムには時刻計時手段と，前記時刻計時手段によりタイムスタンプデータを生成して前記ケーブルモデム終端装置に送出するタイムスタンプデータ送出手段と，前記ケーブルモデム終端装置が出力した遅延時間データを受信する遅延時間データ受信手段と，前記遅延時間データを前記データ分割装置に送出する遅延時間データ送出手段とを有し，前記ケーブルモデム終端装置には時刻計時手段と，前記タイムスタンプデータを受信するタイムスタンプデータ受信手段と，前記時刻計時手段とタイムスタンプデータ受信手段に基づき当該ＣＡＴＶ伝送路のデータ遅延時間を算出する遅延時間データ算出手段と，前記遅延時間データを前記ケーブルモデムに出力する遅延時間データ送出手段とを有すると共に，前記データ分割装置は前記当該ＣＡＴＶ伝送路のデータ遅延時間データに基づきセンター装置で前記端末装置が送信した順番に受信されるように遅延制御された上，ＣＡＴＶ伝送路を介して複数チャネル間に跨るデータとしてセンター装置に伝送するようにしたので，
センター装置には別途同期情報の監視回路を必要としないため，最小限の回路構成で済み，かつローコストが実現できる。また，遅延時間情報の転送は既に使用している回線の空き時間を利用することにより，別途回線を準備する必要がないデータ伝送方式を提供することができる。
【００１１】
請求項３の発明によれば，前記データパスをｎ，データパスｎに対応するＣＡＴＶ伝送路のデータ遅延時間τｎ，データパスｎに対応するデータ遅延時間のバラツキΔｎとした場合，前記データ分割装置が出力するフレームデータを送出するタイミングｔｎが，
2005086274.tif 000004
に設定されるようにしたので，
遅延時間は当該チャネルのみの遅延時間を算出すれば良いのでケーブルモデム終端装置やケーブルモデムのＣＰＵ負荷が軽減され，如いては通信速度低下を軽減できるデータ伝送方式を提供することができる。
【００１２】
請求項４の発明によれば，前記ケーブルモデム終端装置と前記ケーブルモデム装置に時刻データ取得手段を備え，前記時刻データ取得手段の時刻データに基づき，前記時刻計時手段の時刻データを自動的に修正する時刻合わせ手段を備えるようにしたので，
遅延時間の精度が向上し，マージンを小さく設定でき，如いては回線の稼働率が向上して通信速度の向上に寄与するデータ伝送方式を提供することができる。
【発明を実施するための最良の形態】
【００１３】
以下に，本発明を具体化した実施形態の例を，図面を基に詳細に説明する。
図１は本発明に係る通信ネットワークシステムの実施の形態の１例を示すブロック図である。図２はデータ分割・結合装置の詳細を示すブロック図である。
図１において，１はセンター装置であり，ＶＨＦ用アンテナ２を接続する入力端子１ｂ，ＵＨＦ用アンテナ３を接続する入力端子１ｃ，ＳＨＦ用アンテナ４を接続する入力端子１ｄを備え，各アンテナで受信したテレビ信号および，図示しない自主放送用のテレビ信号を端末端子１２まで伝送すると共に，端末機１１たとえばパーソナルコンピュータ１１からの要求信号ならびに当該要求信号に対する応答信号（すなわち，換言するとデータとしてのインターネット情報）を端末機と，ＷＡＮ（ワイドエリアネットワーク）の間でデータ伝送する。なお，１ａはＷＡＮを接続する端子であり，１ｅは出力端子である。５は光ケーブルであり，前記センター装置１と，ノード型光送受信機６の間を接続する伝送媒体である。また，前記ノード型光送受信機６と前記端末端子１２の間には，幹線分配増幅器７や，幹線分岐増幅器８や，分岐器９が同軸ケーブル１０を介して接続されている。２０は端末装置であり，２０ａは出力端子，２０ｂは入力端子である。
【００１４】
前記センター装置１には，ＷＡＮとＣＡＴＶ伝送路を相互に接続するための中継装置としてのルータ１００と，ハブ１１０と，複数のケーブルモデム終端装置（ＣＭＴＳ）１３０を備えている。また，ユーザーからのフレームごとに分割された要求信号を結合したり，要求信号に対応する応答信号をフレームごとに分割して複数設けたケーブルモデム終端装置（ＣＭＴＳ）１３０ａ，１３０ｂ，１３０ｃに振り分けるためのデータ分割・結合装置１２０を備えている。
前記要求信号及び，応答信号を混合または分配するための分配・混合器１４０，テレビ信号及び要求信号ならびに応答信号を混合するヘッドエンド装置（混合器）１５０が備えられている。
また，センター装置１には図示しない各種サーバー（ＷＷＷサーバー，メールサーバー，ＤＮＳサーバーなど）を備えている。
【００１５】
また，端末装置２０には前記センター装置１（より詳しくはデータ分割・結合装置１２０）で分割した応答信号を元の応答信号に結合したり，要求信号をフレームごとに分割するためのデータ分割・結合装置２００と，複数のケーブルモデム２１０ａ，２１０ｂ，２１０ｃ，分配・混合器２２０が備えられている。ここで，ケーブルモデム終端装置（ＣＭＴＳ）１３０ａ，１３０ｂ，１３０ｃがそれぞれケーブルモデム２１０ａ，２１０ｂ，２１０ｃに対応しており，それぞれ異なる周波数帯域で伝送している。
【００１６】
次に，データ分割・結合装置１２０（２００）について図２を用いて詳しく説明する。
データ分割・結合装置１２０，２００には，ＷＡＮまたは端末機に接続する１つの入・出力端子１２０ａ（２００ａ）と，ケーブルモデム終端装置またはケーブルモデムに接続する複数の入・出力端子１２０ｂ〜１２０ｄ（２００ｂ〜２００ｄ）を備えている。また，フレームごとにデータを分割したり，結合するためのスイッチ１２１（２０１）と，１フレームのデータを記憶するためのバッファーメモリ１２２（２０２），ならびに，制御装置１２３（２０３）を備えている。
【００１７】
次に，信号の流れについて説明する。まず，ＶＨＦ用アンテナ２，ＵＨＦ用アンテナ３で受信した地上波放送のテレビ信号および，ＳＨＦ用アンテナ４で受信した衛星放送または衛星通信によるテレビ信号ならびに，図示しない自主放送用のテレビ信号が，ヘッドエンド装置１５０で混合される。また，ヘッドエンド装置１５０に内蔵している光送受信機で光信号に変換され出力端子１ｅを介して光ケーブル５に出力される。光信号に変換されたテレビ信号は光ケーブル５を介してノード型光送受信機６で，高周波信号の電気信号に変換され同軸ケーブル１０に出力される。高周波信号に変換されたテレビ信号は同軸ケーブル１０，幹線分配増幅器７，幹線分岐増幅器８，分岐器９を介して端末端子１２まで伝送され，図示しないテレビ受信機等により受信され映像および，音声を楽しむことが出来る。
なお，本実施例における同軸ケーブルを流れる下り信号の周波数帯域は，たとえば，７０ＭＨｚから６０２ＭＨｚであり，上り信号の周波数帯域は１０ＭＨｚから５５ＭＨｚおよび，６５０ＭＨｚから７７０ＭＨｚとなっている。
【００１８】
次にデータ伝送について詳述する。まず，ケーブルモデム終端装置（ＣＭＴＳ），ケーブルモデム（ＣＭ）及び，データ分割・結合装置に動作用電源が供給されると，後述する遅延時間計測処理，遅延時間テーブル作成処理及び，送信制御処理が起動され，ＣＡＴＶ伝送路の各データパスの遅延時間を測定し，この遅延時間データに基づき受信点側において，送信側と同じ順番でフレームデータが受信できるように送信タイミングが制御される。
次に，データ伝送の流れにについて説明する。
まず，端末端子１２に接続された端末機としてのパーソナルコンピュータ１１からＷＡＮに対して要求信号が出力されると，端末装置２０の出力端子２０ａを介して，データ分割・結合装置２００に取り込まれる。データ分割・結合装置２００に取り込まれた要求信号はデータ分割・結合装置でデータのフレームごとに分割されケーブルモデム２１０ａ，ケーブルモデム２１０ｂ，ケーブルモデム２１０ｃで，それぞれ所定の高周波信号（たとえば，６５３ＭＨｚ，６５６ＭＨｚ，６５９ＭＨｚ）に変換され，分配・混合器２２０を介して端末端子１２（入力端子２０ｂ）に出力される。端末端子１２に出力された高周波信号に変換された要求信号は同軸ケーブル１０，分岐器９，幹線分岐増幅器８，および，幹線分配増幅器７を介してノード型光送受信機６に取り込まれ光信号に変換された後，光ケーブル５でセンター装置１に伝送され，出力端子１ｅを介してヘッドエンド装置内の光送受信機に取り込まれ，元の高周波電気信号に変換される。ヘッドエンド装置１内に取り込まれた高周波電気信号に変換された要求信号は，ケーブルモデム終端装置１３０ａ〜１３０ｃで復調され，データ分割・結合装置１２０で結合され，ハブ１１０に取り込まれる。ハブ１１０に取り込まれた要求信号はルータ１００に出力され，入力端子１ａを介して，要求信号に基づき，ＷＡＮ（たとえば，インターネット）を構成する図示しない当該サーバーに接続される。
【００１９】
つぎに，前記要求信号に対応した当該サーバーからの応答信号はＷＡＮから入力端子１ａを介してセンター装置１に取り込まれる。センター装置１に取り込まれた応答信号はルータ１００を介してハブ１１０に取り込まれデータ分割・結合装置１２０に出力される。データ分割・結合装置１２０で取り込んだ応答信号をフレームごとに分割した応答信号は，それぞれケーブルモデム終端装置１３０ａ，１３０ｂ，１３０ｃに出力され，それぞれ異なる周波数帯域（本実施例では４５６ＭＨｚ，４６２ＭＨｚ，４６８ＭＨｚ）の信号に変換されて，分配・混合器１４０を介してヘッドエンド装置１５０に取り込まれる。ヘッドエンド装置１５０に取り込まれた高周波信号に変換された応答信号はヘッドエンド装置１５０内に備えた光送受信機で光信号に変換され出力端子１ｅから光ケーブル５に出力される。光信号に変換された高周波信号の応答信号は光ケーブル５を介してノード型光送受信機６で，高周波信号の電気信号に変換され同軸ケーブル１０に出力される。高周波信号に変換された応答信号は同軸ケーブル１０，幹線分配増幅器７，幹線分岐増幅器８，分岐器９を介して端末端子１２まで伝送される。端末端子１２まで伝送された高周波信号の応答信号は端末装置２０の入力端子２０ｂおよび，分配・混合器２２０を介して複数のケーブルモデム２１０ａ，２１０ｂ，２１０ｃでそれぞれ復調されデータ分割・結合装置２００で結合され元の応答信号に生成され出力端子２０ａを介して，端末機としてのパーソナルコンピュータ１１に応答信号を出力する。
このように構成することにより，高速化することが出来る。
【００２０】
次に，データ分割・結合装置１２０（２００）の動作について図３，図４，図５に示したフローチャート用いて詳細に説明する。
なお，図３は下り回線（センター装置から端末機に至るデータ伝送）の遅延時間計測処理のフローチャートであり，ステップ３００（以下Ｓ３００という）からＳ３９０はセンター側のケーブルモデム終端装置（ＣＭＴＳ）１３０により実行される。一方，Ｓ４００からＳ４９０は端末装置側のケーブルモデム（ＣＭ）２１０により実行される。図４は遅延時間テーブル作成処理のフローチャートであり制御装置１２３および制御装置２０３により実行される。また，図５はフレームデータの送信制御処理のフローチャートであり制御装置１２３および制御装置２０３により実行される。なお，図４，図５はそれぞれリアルタイムで処理される。
【００２１】
遅延時間計測処理について説明する。遅延時間計測処理はデータパスｎを形成するケーブルモデム終端装置（ＣＭＴＳ）およびケーブルモデム（ＣＭ）に動作用電源が供給されると起動される。起動されると，Ｓ３００にて，変数ｍに１を設定する。続いて，Ｓ３１０でタイムサーバーから現在時刻データを取得する。この場合，タイムサーバーは，センター装置内に設置しておいても良いし，外部のサーバーを利用しても良い。次に，Ｓ３２０でタイムサーバーから取得した現在時刻データを時刻計時部にセットし計時を実行する。続くＳ３３０で時刻計時部から現在時刻データを取得し，タイムスタンプデータを生成する。Ｓ３４０では当該ケーブルモデム終端装置（ＣＭＴＳ）とペアを成すケーブルモデム（ＣＭ）に対して，タイムスタンプデータを送出する。そして，Ｓ３６０でペアを成すケーブルモデム（ＣＭ）から所定時間内に遅延時間データを受信できた場合はＳ３７０に移行し，データ分割装置に当該遅延時間データを転送する。一方，Ｓ３６０で所定時間内に遅延時間データを受信できなかった場合，すなわち，エラーデータを受信した場合や，通信無応答の場合などはＳ３２０に移行する。そして，Ｓ３７０でデータ分割装置に当該遅延時間データを転送した後，Ｓ３８０で変数ｍをインクリメントし，Ｓ３９０で所定時間経過したかチェックし，経過していなければＳ３２０に移行する。すなわち所定時間ごとに，当該回線の遅延時間データを時々刻々収集する。また，Ｓ３９０で所定時間経過したと判断するとＳ３００に移行し，タイムサーバーから最新の現在時刻データを取得するようになっており，高精度で遅延時間データが収集できる。
【００２２】
次に，端末装置側の処理について説明する。遅延時間計測処理が起動されると，Ｓ４００にて，変数ｍに１を設定する。続いて，Ｓ４１０でタイムサーバーから現在時刻データを取得する。この場合，タイムサーバーは，センター装置内に設置しておいても良いし，外部のサーバーを利用しても良い。次に，Ｓ４２０でタイムサーバーから取得した現在時刻データを時刻計時部にセットし計時を実行する。続くＳ４３０で時刻計時部から現在時刻データを取得し，タイムスタンプデータを生成する。Ｓ４５０でぺアを成すケーブルモデム終端装置（ＣＭＴＳ）から所定時間内にタイムスタンプデータを受信できた場合はＳ４６０に移行し，現在時刻データからタイムスタンプデータの時刻を差し引いて遅延時間を算出する。そして，Ｓ４７０で遅延時間データを送信データに設定して，続くＳ４８０で当該ケーブルモデム（ＣＭ）とペアを成すケーブルモデム終端装置（ＣＭＴＳ）に遅延時間データを転送する。一方，Ｓ４５０で所定時間内にタイムスタンプデータを受信できなかった場合はＳ４７５に移行し，送信データに「エラー」を設定して，Ｓ４８０に移行し当該ケーブルモデム（ＣＭ）とペアを成すケーブルモデム終端装置（ＣＭＴＳ）にエラーの送信データを転送する。また，Ｓ４８０で送信データを転送した後，Ｓ４８５で変数ｍをインクリメントし，Ｓ４９０で所定時間経過したかチェックし，経過していなければＳ４２０に移行する。また，Ｓ４９０で所定時間経過したと判断するとＳ４００に移行し，タイムサーバーから最新の現在時刻データを取得するようになっている。
本実施例では遅延時間計測処理について，下り回線（センター装置から端末機に至るデータ伝送）の遅延時間を計測する方法について述べたが，上り回線（端末機からセンター装置に至るデータ伝送）の遅延時間を計測する場合は，図３のケーブルモデム終端装置（ＣＭＴＳ）とケーブルモデム（ＣＭ）を相互に読み替えると共に，センター装置側処理（Ｓ３００〜Ｓ３９０）と端末側処理（Ｓ４００〜４９０）を相互に入れ替えることで実施可能である。
【００２３】
次に，遅延時間テーブル作成処理について詳細に述べる。図４に示す通り遅延時間テーブル作成処理が起動されるとＳ５００で，変数ｎ（データパス）に「０」を設定する。続いて，Ｓ５１０でデータパス（ｎ）に対応する遅延時間τ（ｎｍ）の平均遅延時間τ（ｎ）を算出する。そして，Ｓ５２０でデータパス（ｎ）に対応する遅延時間τ（ｎｍ）の分散σ（ｎ）を算出する。そして，Ｓ５３０でデータパス（ｎ）に対応する遅延時間τ（ｎｍ）のバラツキΔ（ｎ）を算出する。本実施例では３σをとっているがこれに限定されるものではない。たとえば，バラツキΔ（ｎ）を大きく設定するとデータ伝送の際，送信点側と受信点側でフレームの順番が入れ替わってしまう不具合を未然に防止できる確率が向上するが，データ伝送のレスポンスが低下してしまう問題が発生する。したがってデータ回線の品質に併せて最適な値に設定すれば良い。また，本発明ではバラツキΔ（ｎ）をデータ分割・結合装置の制御装置により分散σ（ｎ）を算出するようにしたが，この方法に限定されるものではなく，たとえば，ケーブルモデム終端装置（ＣＭＴＳ）やケーブルモデム（ＣＭ）に伝送遅延時間のバラツキを計算する機能が設けられている場合には，ケーブルモデム終端装置やケーブルモデムが出力するバラツキのデータを使用しても良い。このようにすれば，遅延時間テーブル作成処理のプログラムを省略できると共に，制御装置のメモリを節減できる効果がある。バラツキΔ（ｎ）  が算出されたら，Ｓ５４０でτ（ｎ），Δ（ｎ）をメモリに記憶し，Ｓ５５０でｎをインクリメントした後，Ｓ５６０でｎの値と分割数Ｎ（本実施例では３）を比較し，すべてのデータパスに対して遅延時間テーブルを作成する。
【００２４】
次に，送信制御処理について詳細に述べる。図５に示す通り送信制御処理が起動されるとＳ６００で，変数ｎすなわちデータパスに「０」を設定する。続いて，Ｓ６１０でｔ（０）に，最初に送信するデータパス（ｎ＝０）へ最初のフレームデータを送信する送信開始時刻を設定する。
続いて，Ｓ６２０でメモリから  τ（ｎ）  ，τ（ｎ−１）  ，Δ（ｎ−１）を読み込み，続くＳ６３０で次式に基づき当該回線の遅延時間ｔ（ｎ）を算出する。
2005086274.tif 000005
ここで，ｔ（ｎ）は算出した値より大きな値であればデータ伝送の際，送信点側と受信点側でフレームの順番が入れ替わってしまうことはないが，むやみに大きな値を採用するとデータ伝送のレスポンスが低下してしまうため，計算値に設定するのが良い。
そして，Ｓ６４０で，ｔ（ｎ）後にデータパス（ｎ）に対して１フレーム分のデータを出力する。このように，それぞれデータパスの遅延時間τ（ｎ）に基づき，ｔ（ｎ）後にデータパス（ｎ）に対して１フレーム分のデータを出力することにより，送信点側と受信点側でフレームデータの順番が入れ替わってしまう不具合を未然に防止できる効果がある。
そして，１フレーム分のデータを出力した後，Ｓ６５０で変数ｎをインクリメントし，Ｓ６６０でｎの値と分割数Ｎ（本実施例では３）を比較し，すべてのデータパスに対してフレームデータを出力する。
次に，フレームデータの結合について説明する。データ結合装置に入力されたフレームデータはその入力された順番に結合され，ＷＡＮまたは端末機に伝送されるようになっている。本発明のように構成することにより，送信側と受信側ではフレームデータの順番が入れ替わることがない。したがって，アプリケーションにおいて，データの順番制御を行う必要がないため処理時間が短くなる。また，順序制御・再送制御に対応していないアプリケーションであっても使用できる。
【００２５】
なお，前記，Ｓ３２０，Ｓ４２０が本発明の時刻計時手段に相当する。前記，Ｓ３３０，Ｓ３４０，Ｓ４３０が本発明のタイムスタンプデータ送出手段に相当する。前記，Ｓ３６０が本発明の遅延時間データ受信手段に相当する。前記，Ｓ３７０が本発明の遅延時間データ送出手段に相当する。前記，Ｓ３１０，Ｓ４１０が本発明の時刻データ取得手段に相当する。前記，Ｓ３２０，Ｓ４２０が本発明の時刻合わせ手段に相当する。
【００２６】
次に，本発明者らが実験した結果について，図６を用いて説明する。図６に示すグラフは，データのフレームサイズを変更した場合の伝送速度（スループット）を測定したものである。条件として，下り信号の帯域幅６ＭＨｚ，変調方式を２５６ＱＡＭ，上り信号の帯域幅３ＭＨｚ，変調方式を１６ＱＡＭとし，ケーブルモデムシステムを３系統使用してデータのフレームサイズを変更して伝送速度（スループット）を測定したものである。図からわかるように，フレームサイズが約３００バイト以上では遅延時間の影響が少なく，本発明の効果が現れていることがわかる。
【００２７】
尚，本発明は上記実施の形態に限定されるものではなく，本発明の趣旨を逸脱しない範囲で適宜に変更して実施することも可能である。たとえば，実施例１では分割数Ｎを３として説明したが２以下でも良いし，４以上であっても良い。また，本実施例では応答信号（すなわち下り信号）と要求信号（すなわち上り信号）の双方をデータ分割して高速化を図ったが，上り信号のみ，または下り信号のみ高速化しても良く同様の効果を得ることができる。
【図面の簡単な説明】
【００２８】
【図１】本発明に係る通信ネットワークシステムの実施の形態の１例を示すブロック図である。
【図２】データ分割・結合装置の詳細を示すブロック図である。
【図３】制御装置が実行する遅延時間計測処理のフローチャートである。
【図４】制御装置が実行する遅延時間テーブル作成処理のフローチャートである。
【図５】制御装置が実行するフレームデータの送信制御処理のフローチャートである。
【図６】データのフレームサイズを変更した場合の伝送速度（スループット）を測定したグラフである。
【符号の説明】
【００２９】
１…センター装置，２…ＶＨＦ用アンテナ，３…ＵＨＦ用アンテナ，４…ＳＨＦ用アンテナ，５…光ケーブル，６…ノード型光送受信機，７…幹線分配増幅器，８…幹線分岐増幅器，９…分岐器，１０…同軸ケーブル，１１…端末機，１２…端末端子，２０…端末装置，１００…ルータ，１１０…ハブ，１２０…データ分割・結合装置，１２１…スイッチ，１２２…バッファーメモリ，１２３制御装置，１３０…ケーブルモデム終端装置（ＣＭＴＳ），１４０…分配・混合器，１５０…ヘッドエンド装置（混合器），２００…データ分割・結合装置，２０１…スイッチ，２０２…バッファーメモリ，２０３制御装置，２１０…ケーブルモデム，２２０…分配・混合器。
【図１】
2005086274.tif 000007
【図２】
2005086274.tif 000008
【図３】
2005086274.tif 000009
【図４】
2005086274.tif 000010
【図５】
2005086274.tif 000011
【図６】
2005086274.tif 000012